【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
ワイヤレスドッキー（ＷＤ）によって、ワイヤレスドッキングセンター（ＷＤＣ）と関連付けられる１つまたは複数のワイヤレスドッキング環境（ＷＤＮ）を決定すること、ここにおいて、前記１つまたは複数のＷＤＮの各ＷＤＮは、前記ＷＤＣと各々関連付けられる１つまたは複数の周辺機能（ＰＦ）のうちの少なくとも１つのＰＦに対応し、前記１つまたは複数のＷＤＮを決定することは、前記ＷＤによって、および前記ＷＤＣから、前記ＷＤＣと関連付けられる前記１つまたは複数のＷＤＮを特定するメッセージを受信することを備える、と、
前記ＷＤによって、前記ＷＤＣと関連付けられる前記１つまたは複数のＷＤＮの特定のＷＤＮを選択することと、
前記ＷＤによって、前記ＷＤＣと関連付けられる前記１つまたは複数のＷＤＮの前記選択された特定のＷＤＮに対応する前記少なくとも１つのＰＦにワイヤレスにアクセスすることと
を備える、方法。
【請求項２】
前記特定のＷＤＮを選択することは、
前記ＷＤによって、および前記ＷＤＣに、前記特定のＷＤＮを選択するための要求を送ることと、
前記ＷＤによって、および前記ＷＤＣから、前記ＷＤが前記特定のＷＤＮを選択するための前記要求を前記ＷＤＣが受け入れるかどうかを示すメッセージを受信することと、
前記ＷＤＣが前記要求を受け入れると決定したことに応答して、前記ＷＤによって、前記特定のＷＤＮに対応する前記それぞれの少なくとも１つのＰＦにワイヤレスにアクセスすることと
を備え、好ましくは、
前記特定のＷＤＮを選択するための前記要求は、前記特定のＷＤＮの識別値を含む、
請求項１に記載の方法。
【請求項３】
前記ＷＤによって、前記ＷＤＣと関連付けられる前記１つまたは複数のＰＦの、ＰＦのセットに対応する新たなＷＤＮを作成することと、
前記ＷＤによって、前記ＷＤＣと関連付けられる前記１つまたは複数のＷＤＮの既存のＷＤＮを修正することと、
前記ＷＤによって、前記ＷＤＣと関連付けられる前記１つまたは複数のＷＤＮの既存のＷＤＮを削除することと
のうちの１つまたは複数をさらに備える、請求項１に記載の方法。
【請求項４】
作成することは、
前記ＷＤによって、および前記ＷＤＣに、前記新たなＷＤＮを作成するための要求を送ること、ここにおいて、前記要求は、前記ＷＤＣと関連付けられる前記１つまたは複数のＰＦの、ＰＦの前記セットを示す、と、
前記ＷＤによって、および前記ＷＤＣから、前記新たなＷＤＮを作成するための前記要求を前記ＷＤＣが受け入れるかどうかを示すメッセージを受信することと
を備える、請求項３に記載の方法。
【請求項５】
前記ＷＤＣと関連付けられる前記１つまたは複数のＷＤＮの前記既存のＷＤＮを修正することは、
前記ＷＤによって、および前記ＷＤＣに、前記既存のＷＤＮを修正するための要求を送ること、ここにおいて、前記要求は、前記既存のＷＤＮと、前記既存のＷＤＮに対応することが要求されるＰＦのセットとを示す、と、
前記ＷＤによって、および前記ＷＤＣから、前記既存のＷＤＮを修正するための前記要求を前記ＷＤＣが受け入れるかどうかを示すメッセージを受信することと
を備える、または
前記ＷＤＣと関連付けられる前記１つまたは複数のＷＤＮの前記既存のＷＤＮを削除することは、
前記ＷＤによって、および前記ＷＤＣに、前記既存のＷＤＮを削除するための要求を送ること、ここにおいて、前記要求は前記既存のＷＤＮを示す、と、
前記ＷＤによって、および前記ＷＤＣから、前記既存のＷＤＮを削除するための前記要求を前記ＷＤＣが受け入れるかどうかを示すメッセージを受信することと
を備える、請求項３に記載の方法。
【請求項６】
前記ＷＤによって、および前記ＷＤＣから、前記ＷＤＣと関連付けられる前記１つまたは複数のＷＤＮに関する情報を含むメッセージを受信することと、
前記ＷＤによって、および前記ＷＤＣから、且つ第２のより後の時間において、第２のメッセージが前記ＷＤＣと関連付けられる前記１つまたは複数のＷＤＮに関する前記情報が変化したことを示すを受信することと
をさらに備える、請求項１に記載の方法。
【請求項７】
ワイヤレスドッキングセンター（ＷＤＣ）と関連付けられる１つまたは複数のワイヤレスドッキング環境（ＷＤＮ）を決定するための手段、ここにおいて、前記１つまたは複数のＷＤＮの各ＷＤＮは、前記ＷＤＣと各々関連付けられる１つまたは複数の周辺機能（ＰＦ）のうちの少なくとも１つのＰＦに対応し、前記１つまたは複数のＷＤＮを決定するための手段は、前記ＷＤＣから、前記ＷＤＣと関連付けられる前記１つまたは複数のＷＤＮを特定するメッセージを受信するための手段を備える、と、
前記ＷＤＣと関連付けられる前記１つまたは複数のＷＤＮの特定のＷＤＮを選択するための手段と、
前記ＷＤＣと関連付けられる前記１つまたは複数のＷＤＮの前記選択された特定のＷＤＮに対応する前記少なくとも１つのＰＦにワイヤレスにアクセスするための手段と
を備える、ワイヤレスドッキー（ＷＤ）。
【請求項８】
ワイヤレスドッキングセンター（ＷＤＣ）によって、前記ＷＤＣと関連付けられる１つまたは複数のワイヤレスドッキング環境（ＷＤＮ）を決定すること、ここにおいて、前記１つまたは複数のＷＤＮの各ＷＤＮは、前記ＷＤＣと各々関連付けられる１つまたは複数の周辺機能（ＰＦ）のうちの少なくとも１つのＰＦに対応する、と、
前記ＷＤＣによって、およびワイヤレスドッキー（ＷＤ）に、前記ＷＤＣと関連付けられる前記１つまたは複数のＷＤＮを特定するメッセージを送ることと、
前記ＷＤＣによって、および前記ＷＤから、前記ＷＤＣと関連付けられる前記１つまたは複数のＷＤＮの特定のＷＤＮを選択するための要求を受信することと、
前記ＷＤＣによって、および前記ＷＤに、前記ＷＤＣと関連付けられる前記１つまたは複数のＷＤＮの前記選択された特定のＷＤＮに対応する前記少なくとも１つのＰＦへのワイヤレスアクセスを提供することと
を備える、方法。
【請求項９】
前記メッセージによって特定される前記１つまたは複数のＷＤＮの各々のそれぞれのＷＤＮに対して、前記メッセージは、
前記それぞれのＷＤＮの識別値と、
前記それぞれのＷＤＮの名前と、
前記それぞれのＷＤＮのＷＤＮタイプと、
前記それぞれのＷＤＮに対応する１つまたは複数のＰＦとの、１つまたは複数を示し、好ましくは、
前記それぞれのＷＤＮの前記ＷＤＮタイプが複数のＷＤＮタイプからのものであり、前記ＷＤＮ複数のＷＤＮタイプは、
オフィスＷＤＮタイプと、
エンターテイメントＷＤＮタイプと、
共同作業空間ＷＤＮタイプと、
オーディオ限定ＷＤＮタイプと、
企業オフィスＷＤＮタイプと
のうちの１つまたは複数を含む、請求項１または８に記載の方法。
【請求項１０】
前記ＷＤＣによって、および前記ＷＤに、前記ＷＤが前記特定のＷＤＮを選択するための前記要求を前記ＷＤＣが受け入れるかどうかを示すメッセージを送ることと、
前記ＷＤＣが前記要求を受け入れると決定したことに応答して、前記ＷＤに、前記特定のＷＤＮに対応する前記それぞれの少なくとも１つのＰＦに前記ワイヤレスアクセスを提供することと
をさらに備え、好ましくは、  前記特定のＷＤＮを選択するための前記要求は、前記特定のＷＤＮの識別値を含む、
請求項８に記載の方法。
【請求項１１】
前記ＷＤＣによって、前記ＷＤＣと関連付けられる前記１つまたは複数のＰＦの、ＰＦのセットに対応する新たなＷＤＮを作成することと、
前記ＷＤＣによって、前記ＷＤＣと関連付けられる前記１つまたは複数のＷＤＮの既存のＷＤＮを修正することと、
前記ＷＤＣによって、前記ＷＤＣと関連付けられる前記１つまたは複数のＷＤＮの既存のＷＤＮを削除することと
のうちの１つまたは複数をさらに備え、好ましくは、
作成することは、
前記ＷＤＣによって、および前記ＷＤから、前記新たなＷＤＮを作成するための要求を受信すること、ここにおいて、前記要求は、前記ＷＤＣと関連付けられる前記１つまたは複数のＰＦの、ＰＦの前記セットを示す、と、
前記ＷＤＣによって、および前記ＷＤに、前記新たなＷＤＮを作成するための前記要求を前記ＷＤＣが受け入れるかどうかを示すメッセージを送ることと
を備える、請求項８に記載の方法。
【請求項１２】
前記要求は、前記新たなＷＤＮに対応することを要求されたＰＦの前記セットが前記ＷＤによって現在アクセスされている１つまたは複数のＰＦからなることを示す、または
前記要求は、前記新たなＷＤＮに対応することを要求されたＰＦの前記セットを個々に特定する、
請求項４または１１に記載の方法。
【請求項１３】
前記ＷＤＮのうちの少なくとも１つは、前記ＷＤによって作成されたＷＤ固有のＷＤＮであり、前記ＷＤ固有のＷＤＮのための構成情報は、前記ＷＤと前記ＷＤＣとのうちの１つまたは両方に記憶される、または
前記ＷＤＮのうちの少なくとも１つは、前記ＷＤによって作成されないＷＤＣ固有のＷＤＮであり、前記ＷＤＣ固有のＷＤＮのための構成情報は、前記ＷＤＣに記憶される、
請求項１または８に記載の方法。
【請求項１４】
ワイヤレスドッキングセンター（ＷＤＣ）であって、
前記ＷＤＣと関連付けられる１つまたは複数のワイヤレスドッキング環境（ＷＤＮ）を決定するための手段、ここにおいて、前記１つまたは複数のＷＤＮの各ＷＤＮは、前記ＷＤＣと各々関連付けられる１つまたは複数の周辺機能（ＰＦ）のうちの少なくとも１つのＰＦに対応する、と、
ワイヤレスドッキー（ＷＤ）に、前記ＷＤＣと関連付けられる前記１つまたは複数のＷＤＮを特定するメッセージを送るための手段と、
前記ＷＤから、前記ＷＤＣと関連付けられる前記１つまたは複数のＷＤＮの特定のＷＤＮを選択するための要求を受信するための手段と、
前記ＷＤＣによって、および前記ＷＤに、前記ＷＤＣと関連付けられる前記１つまたは複数のＷＤＮの前記選択された特定のＷＤＮに対応する前記少なくとも１つのＰＦへのワイヤレスアクセスを提供するための手段と
を備える、ＷＤＣ。
【請求項１５】
命令が実行されると、ワイヤレスドッキングセンター（ＷＤＣ）の１つまたは複数のプロセッサに、請求項１乃至６または８乃至１３のいずれか１項に記載の方法をを行わせる、前記命令を記憶する、非一時的コンピュータ可読記憶媒体。